(57)【要約】【課題】負荷に実際に供給される入力電力値を精確に認識でき、微妙な火加減調節が可能な誘導加熱調理器を提供することを目的とする。【解決手段】入力電力等を制御する制御部１２と、交流電源１の電圧を検出する電源電圧検出回路１４と、入力電流を検出する入力電流検出回路１３と、入力電力設定レベル等を設定する操作部１６と、前記制御部１２からの信号により表示を行う表示部１７とを設けた誘導加熱調理器において、前記表示部１７に前記電源電圧検出回路１４と前記入力電流検出回路１３から得た値に基づいて制御部１２が演算した入力電力値を数字で表示する数字表示部２０を設ける。【選択図】  図１
2005019176.tif 000002
【特許請求の範囲】
【請求項１】
入力電力等を制御する制御部（１２）と、交流電源（１）の電圧を検出する電源電圧検出回路（１４）と、入力電流を検出する入力電流検出回路（１３）と、入力電力設定レベル等を設定する操作部（１６）と、前記制御部（１２）からの信号により表示を行う表示部（１７）とを設けた誘導加熱調理器において、
前記表示部（１７）に前記電源電圧検出回路（１４）と前記入力電流検出回路（１３）から得た値に基づいて制御部（１２）が演算した入力電力値を数字で表示する数字表示部（２０）を設けることを特徴とする誘導加熱調理器。
【請求項２】
前記表示部（１７）に入力電力設定レベルをバーグラフで表示する入力電力レベル表示部（１９）を設けることを特徴とする請求項１記載の誘導加熱調理器。
【請求項３】
前記操作部（１６）に前記数字表示部（２０）の表示内容の切換えを行う表示切換手段（１８）を設け、この表示切換手段（１８）の操作により数字表示部（２０）に入力電力設定レベルを表示可能とすることを特徴とする請求項１乃至請求項２記載の誘導加熱調理器。
【発明の詳細な説明】
【０００１】
【発明の属する技術分野】
本発明は、誘導加熱調理器の表示に関するものである。
【０００２】
【従来の技術】
誘導加熱調理器は、スイッチング素子を高周波で駆動して加熱コイルに高周波電流を流し、この高周波電流により磁束を発生させ、この磁束を介して加熱コイルに近接させた鉄やステンレスの鍋等の負荷に渦電流を発生させ、負荷自体の発熱作用によって加熱するものである。
【０００３】
従来の誘導加熱調理器は、入力電力レベルの設定状態や加熱状態の表示を表示部で行っている。
【０００４】
例えば、図４に示すように、入力電力設定レベルを表示部１７の入力電力レベル表示部１９にバーグラフで表示し、さらに数字表示部２０にも数字で表示していた。図４は従来例の表示部の表示例および本発明の表示部の一表示例を示す図である。
【０００５】
しかし、このような入力電力設定レベルのみを表示する誘導加熱調理器には以下の問題があった。
【０００６】
入力電力のレベルを設定し、負荷の加熱を開始した際、負荷の材質、形状等によっては設定した入力電力設定レベルに対応する電力に対して実際に負荷に供給される電力が異なる場合があり、このような場合においても表示されている電力レベルが入力電力設定レベルであるため、使用者は負荷に供給されている電力が設定した入力電力設定レベルに対応する電力であると勘違いすることがあった。
【０００７】
そこで、この問題に対処する例として、以下のような例がある。
【０００８】
特許文献１に示されている例は、加熱コイルへの設定電流を表示する設定電流表示部と加熱コイルの消費電流を表示する消費電流表示部を設け、設定電流と消費電流、すなわち入力電力設定レベルと実際に供給される入力電力をバーグラフで同時に見ることを可能とし、使い易さを向上したものである。
【０００９】
特許文献２に示されている例は、前記特許文献１に示した機能すなわち入力電力設定レベルと実際に供給される入力電力をバーグラフで同時に見る機能を一つの表示装置で実現し、使い勝手を向上したものである。
【００１０】
特許文献３に示されている例は、加熱時に表示部は設定された入力電力設定レベル表示を行わず、実際に供給される入力電力とリンクした電力をバーグラフで表示し、使い勝手を向上したものである。
【００１１】
【特許文献１】
実開昭６２−１４０６９３号公報
【特許文献２】
特開平５−３２６１２４号公報
【特許文献３】
特開２００１−３２６０６５号公報
【００１２】
【発明が解決しようとする課題】
前記した特許文献１、特許文献２及び特許文献３に示されているような従来の誘導加熱調理器は、実際に供給される入力電力をバーグラフで見ることを可能としているので、使い勝手のよいものであるが、このような誘導加熱調理器においては、１００Ｗ位から２５００Ｗもしくは３０００Ｗ位までの入力電力値に対しバーの数がせいぜい１０程度のため、概略の入力電力が認識できるのみで、精確な電力値を認識できず、使い勝手が不充分であった。もし、バーの数を増やせば精確な電力値を表示することは可能ではあるが、認識しづらいものとなり実用的ではない。
【００１３】
本発明は、前記課題を解決するものであり、負荷に実際に供給される入力電力値を精確に認識でき、微妙な火加減調節が可能な誘導加熱調理器を提供することを目的とする。
【００１４】
【課題を解決するための手段】
上記課題を解決するために本発明では、入力電力等を制御する制御部と、交流電源の電圧を検出する電源電圧検出回路と、入力電流を検出する入力電流検出回路と、入力電力設定レベル等を設定する操作部と、前記制御部からの信号により表示を行う表示部とを設けた誘導加熱調理器において、前記表示部に前記電源電圧検出回路と前記入力電流検出回路から得た値に基づいて制御部が演算した入力電力値を数字で表示する数字表示部を設けるものである。
【００１５】
【発明の実施の形態】
請求項１に記載の発明は、入力電力等を制御する制御部と、交流電源の電圧を検出する電源電圧検出回路と、入力電流を検出する入力電流検出回路と、入力電力設定レベル等を設定する操作部と、前記制御部からの信号により表示を行う表示部とを設けた誘導加熱調理器において、前記表示部に前記電源電圧検出回路と前記入力電流検出回路から得た値に基づいて制御部が演算した入力電力値を数字で表示する数字表示部を設けるものである。
【００１６】
これにより、負荷に実際に供給される入力電力値を精確に認識でき、微妙な火加減調節が可能な誘導加熱調理器を提供することができる。
【００１７】
請求項２に記載の発明は、請求項１記載の発明において、さらに、前記表示部に入力電力設定レベルをバーグラフで表示する入力電力レベル表示部を設けるものである。
【００１８】
これにより、入力電力設定レベルに対して負荷に実際に供給される精確な入力電力値を容易に認識することができ、負荷の状態を確認しながら微妙な火力調節ができ、より使い勝手を良くすることができる。
【００１９】
請求項３に記載の発明は、さらに、前記操作部に前記数字表示部の表示内容の切換えを行う表示切換手段を設け、この表示切換手段の操作により数字表示部に入力電力設定レベルを表示可能とするものである。
【００２０】
これにより、必要に応じて負荷に実際に供給される精確な入力電力値と精確な入力電力設定レベルを確認でき、より使い勝手を良くすることができる。
【００２１】
【実施例】
以下、本発明の一実施例を図面に基づいて説明する。図１は本発明の一実施例の誘導加熱調理器の概略回路ブロック図、図２は本発明の一実施例の入力電力値をワットで表示した表示部を示す図、図３は本発明の一実施例の入力電力値をキロワットで表示した表示部を示す図、図４は従来例の表示部の表示例および本発明の表示部の一表示例を示す図である。
【００２２】
図１において、１は交流電源である。２は整流回路で、ダイオードブリッジとコイルと次記平滑コンデンサ３で構成され、交流電源１を直流に変換する。３は平滑コンデンサで、直流に変換された電源を平滑する。
【００２３】
４は共振コンデンサで、二つあり、直列に接続されている。５は加熱コイルで、高周波電流が流れることにより、磁束を発生し、この磁束を介して近接された後記負荷１１に渦電流を発生させ、後記負荷１１自体の発熱作用によって加熱する。６は共振回路で、前記共振コンデンサ４と加熱コイル５とで構成される。
【００２４】
７はスナバコンデンサで、次記スイッチング素子８と並列に接続される。８はスイッチング素子で、ＩＧＢＴと逆並列接続されたダイオードで一組が形成され、二組あり、この二組は直列に接続され、接続点が加熱コイル５の一端に接続されている。
【００２５】
９はインバータ回路で、前記共振回路６と前記スイッチング素子８とスナバコンデンサ７とで構成されている。このインバータ回路９は、本実施例では電流共振型であるが、これに限定するものではない。
【００２６】
１０はトッププレートで、加熱コイル５の上方に配置され、次記負荷１１を上に載置する。１１は負荷で、鉄等の鍋などであり、加熱対象である。
【００２７】
１２は制御部で、マイクロコンピュータ等を内蔵し、入力電力等を制御する。１３は入力電流検出回路で、インバータ回路９に入力する入力電流を検出し、制御部１２に出力する。この入力電流検出回路１３は、本実施例では、カレントトランスで形成され、入力電流を電圧に変換して制御部１２に出力し、制御部１２内のマイクロコンピュータで演算し、入力電流値に変換している。
【００２８】
１４は電源電圧検出回路で、交流電源１の電源電圧を検出し、制御部１２に出力する。この電源電圧検出回路１４は、本実施例では、交流電源１の電源電圧を整流後、分圧して制御部１２に出力し、制御部１２内のマイクロコンピュータで演算し、電源電圧値に変換している。
【００２９】
１５は駆動部で、スイッチング素子８を駆動するものである。制御部１２内のマイクロコンピュータは前記電源電圧検出回路１４と前記入力電流検出回路１３から得た値、すなわち前記入力電流値と前記電源電圧値に基づいて入力電力値を演算し、入力電力設定レベル付近で安定するようにスイッチング素子８のオン時間を決める信号を駆動部１５に出力する。
【００３０】
１６は操作部で、入力電力設定レベル等を設定し、その信号を制御部１２に出力する。
【００３１】
１７は表示部で、制御部１２からの信号により入力電力レベルの設定状態や加熱状態の表示を行う。この表示部１７は、本実施例では、液晶表示素子で形成されているが、これに限らず、発光ダイオードのような発光素子等を用いても構わない。表示内容の詳細については後述する。
【００３２】
１８は表示切換手段で、操作部１６に設けられ、後記数字表示部２０の表示内容の切換えを行うものであり、この表示切換手段１８の操作により後記数字表示部２０に入力電力設定レベルを表示可能とする。
【００３３】
図２、図３、及び図４において、１９は入力電力レベル表示部で、表示部１７に設けられ、入力電力設定レベルをバーグラフで表示するものであり、１１個のバーと、バーの左右にある弱、強の文字とで構成される。尚、入力電力設定レベルの段階数すなわちバーの数は、本実施例では１１としたが、これに限定するものではない。
【００３４】
２０は数字表示部で、表示部１７に設けられ、図２は入力電力値の単位をワット（Ｗ）で表した例であり、図３は入力電力値の単位をキロワット（ｋＷ）で表した例であり、図４は入力電力設定レベルを表示した例である。
【００３５】
尚、入力電力値の単位をワット（Ｗ）、キロワット（ｋＷ）の例で示したが、これらに限定するものではない。
【００３６】
次に、以上のように構成された誘導加熱調理器の動作について説明する。
使用者はトッププレート１０上に負荷１１を載置し、操作部１６で入力電力設定レベルを設定し、加熱開始の操作を行う。
【００３７】
整流回路２は交流電源１を整流平滑し、直流電圧として、インバータ回路９に供給する。
【００３８】
操作部１６での加熱開始の操作は制御部１２に出力され、制御部１２はその旨を理解し、駆動部１５に信号を出力し、駆動部１５はスイッチング素子８を駆動し、駆動されたスイッチング素子８が高周波でスイッチングすることにより共振回路６すなわち加熱コイル５に高周波の電流が流れ、加熱コイル５から発生する磁束を介して負荷１１が加熱される。
【００３９】
共振回路６に高周波の電流が流れると、これが入力電流となって流れ、入力電流検出回路１３はこの入力電流を検出し、制御部１２に出力する。同時に、電源電圧検出回路１４は交流電源１の電源電圧を検出し、制御部１２に出力する。
【００４０】
制御部１２内のマイクロコンピュータは入力電流検出回路１３と電源電圧検出回路１４から得た値、すなわち入力電流値と電源電圧値に基づいて入力電力値を演算し、入力電力設定レベル付近で安定するようにスイッチング素子８のオン時間を決める信号を駆動部１５に出力し、以後、この動作を繰り返して加熱動作を続行する。
【００４１】
また、操作部１６での入力電力設定レベルの設定の操作と共に、制御部１２はその旨の信号を表示部１７に送り、表示部１７は入力電力レベル表示部１９に入力電力設定レベルをバーグラフで表示する。
【００４２】
そして、加熱開始と共に、制御部１２は前記した入力電流検出回路１３と電源電圧検出回路１４から得た値、すなわち入力電流値と電源電圧値に基づいて演算した入力電力値の信号を表示部１７に送り、表示部１７はこの入力電力値を数字表示部２０に表示する（図２または図３参照）。
【００４３】
使用者が操作部１６で入力電力設定レベルすなわち火力を調節すると、制御部１２内のマイクロコンピュータはその入力電力設定レベル付近で安定するようにスイッチング素子８のオン時間を決める信号を駆動部１５に出力し、入力電流検出回路１３と電源電圧検出回路１４から得た値、すなわち入力電流値と電源電圧値に基づいて入力電力値を演算し、この演算で得られた入力電力値と入力電力設定レベルの信号を表示部１７に送り、表示部１７はこの入力電力値を数字表示部２０に数字で表示し、入力電力設定レベルを入力電力レベル表示部１９にバーグラフで表示する。
【００４４】
さらに、使用者が操作部１６内の表示切換手段１８を操作すると、制御部１２はその旨を理解し、信号を表示部１７に送り、表示部は図４に示すように、数字表示部２０の表示内容を前記演算で得られた入力電力値から入力電力設定レベルに切換えて表示する。
【００４５】
尚、入力電力設定レベルは、図２及び図３においては段階１１の場合を示しているが、図４においては段階１０の場合を示している。
【００４６】
また、使用者が操作部１６内の表示切換手段１８を再び操作すると、制御部１２はその旨を理解し、信号を表示部１７に送り、表示部は数字表示部２０の表示内容を入力電力設定レベルから演算で得られた入力電力値に切換えて表示する。
【００４７】
以上のように、本実施例によれば、負荷に実際に供給される入力電力値を数字で表示し、且つ入力電力設定レベルをバーグラフで見ることができるので、設定した入力電力設定レベルと実際の負荷１１の加熱状態とを容易に認識することが可能となり、負荷１１に実際に供給される入力電力値が設定した入力電力設定レベルより低ければ、入力電力設定レベルを上げたり、逆の場合には下げたりと、微妙な火加減調節が可能となる。
【００４８】
尚、以上の説明では、表示部１７の入力電力レベル表示部１９をバーグラフの形状としたが、これに限るものではなく、種々の形状に適用できるものである。
【００４９】
また、数字表示部２０と入力電力レベル表示部１９を液晶表示素子で形成した表示部１７に一体として設けたが、それぞれを別体の表示素子に設けてもよい。
【００５０】
【発明の効果】
以上本発明によれば、請求項１に記載の発明は、入力電力等を制御する制御部と、交流電源の電圧を検出する電源電圧検出回路と、入力電流を検出する入力電流検出回路と、入力電力設定レベル等を設定する操作部と、前記制御部からの信号により表示を行う表示部とを設けた誘導加熱調理器において、前記表示部に前記電源電圧検出回路と前記入力電流検出回路から得た値に基づいて制御部が演算した入力電力値を数字で表示する数字表示部を設けるものである。
【００５１】
これにより、負荷に実際に供給される入力電力値を精確に認識でき、微妙な火加減調節が可能な誘導加熱調理器を提供することができるという効果を奏する。
【００５２】
請求項２に記載の発明は、請求項１記載の発明において、さらに、前記表示部に入力電力設定レベルをバーグラフで表示する入力電力レベル表示部を設けるものである。
【００５３】
これにより、入力電力設定レベルに対して負荷に実際に供給される精確な入力電力値を容易に認識することができ、負荷の状態を確認しながら微妙な火力調節ができ、より使い勝手を良くすることができるという効果を奏する。
【００５４】
請求項３に記載の発明は、さらに、前記操作部に前記数字表示部の表示内容の切換えを行う表示切換手段を設け、この表示切換手段の操作により数字表示部に入力電力設定レベルを表示可能とするものである。
【００５５】
これにより、必要に応じて負荷に実際に供給される精確な入力電力値と精確な入力電力設定レベルを確認でき、より使い勝手を良くすることができるという効果を奏する。
【図面の簡単な説明】
【図１】本発明の一実施例の誘導加熱調理器の概略回路ブロック図である。
【図２】本発明の一実施例の入力電力値をワットで表示した表示部を示す図である。
【図３】本発明の一実施例の入力電力値をキロワットで表示した表示部を示す図である。
【図４】従来例の表示部の表示例および本発明の表示部の一表示例を示す図である。
【符号の説明】
１  交流電源
１２  制御部
１３  入力電流検出回路
１４  電源電圧検出回路
１６  操作部
１７  表示部
１８  表示切換手段
１９  入力電力レベル表示部
２０  数字表示部
【図１】
2005019176.tif 000003
【図２】
2005019176.tif 000004
【図３】
2005019176.tif 000005
【図４】
2005019176.tif 000006